【手続補正書】
【提出日】平成16年8月19日(2004.8.19)
【手続補正１】
【補正対象書類名】特許請求の範囲
【補正対象項目名】全文
【補正方法】変更
【補正の内容】
【特許請求の範囲】
【請求項１】
被写体像の画像データを生成する生成手段と、
複数個の記憶領域を有し各領域毎に画像データを記憶可能なデータ記憶手段と、
前記各記憶領域に記憶されている画像データの削除指示に応答して、当該領域に所定の属性を付与する属性付与手段と、
前記記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記属性が付与されている記憶領域を初期化処理する初期化処理手段と、
取り込み操作に応答して前記生成手段により生成された画像データを、前記初期化処理手段により初期化処理された記憶領域に書き込む書込手段と
を備えたことを特徴とする撮像装置。
【請求項２】
被写体像の画像データを生成する生成手段と、
複数個の記憶領域を有し各領域毎に画像データを記憶可能なデータ記憶手段と、
前記各記憶領域が、“初期化済み”“消去待ち”“記憶済み”の何れの属性であるかを示す属性データを記憶する属性記憶手段と、
前記各記憶領域に記憶されている画像データの削除指示に応答して、前記属性記憶手段に記憶されている対応する領域の属性データを、“記憶済み”から“消去待ち”に変更する属性データ変更手段と、
前記記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記属性記憶手段に記憶されている属性データが“消去待ち”である記憶領域を初期化処理する初期化処理手段と、
取り込み操作に応答して前記生成手段により生成された画像データを、前記初期化処理手段により初期化処理された記憶領域に書き込む書込手段と
を備えたことを特徴とする撮像装置。
【請求項３】
被写体像の画像データを生成する生成手段と、
複数個の記憶領域を有し各領域毎に画像データを記憶可能なデータ記憶手段と、
前記各記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記各記憶領域に記憶された画像データのうち不要とされた画像データを記憶している前記記憶領域を初期化処理する初期化処理手段と、
前記各記憶領域への画像データの書き込み時点で、初期化された前記記憶領域がない場合に前記各記憶領域のうち不要とされた画像データを記憶している前記領域を初期化処理する第２の初期化処理手段と、
取り込み操作に応答して前記生成手段により生成された画像データを、前記いずれかの初期化処理手段により初期化処理された記憶領域に書き込む書込手段と
を備えたことを特徴とする撮像装置。
【請求項４】
前記所定の時点とは電源オフ操作時であり、前記初期化処理手段は、この電源オフ操作に応答して前記初期化処理を行う初期化手段と、この初期化処理の終了後電源をオフにする電源オフ手段とを有することを特徴とする請求項１、２又は３記載の撮像装置。
【請求項５】
前記所定の時点とは、一定時間キー入力がない時点であり、一定時間キー入力がないことに伴って電源を自動的にオフにするオートパワーオフの直前であることを特徴とする請求項１、２又は３記載の撮像装置。
【請求項６】
前記画像データは、予め選択的に設定されるモードに応じて取り込まれる各々容量の異なる複数種の画像データの何れかであり、前記所定の時点とは、前記モードの設定変更時であり、前記初期化処理手段は、設定されたモードのデータ容量に応じた容量の記憶領域を初期化処理することを特徴とする請求項１、２又は３記載の撮像装置。
【請求項７】
前記初期化処理手段は、外部機器からの命令を受けて前記初期化処理を実行するものであり、前記所定の時点とは、前記外部機器から前記命令を受けた時点であることを特徴ととする請求項１、２又は３記載の撮像装置。
【請求項８】
初期化処理する記憶領域の量を選択する選択手段をさらに有し、前記初期化処理手段は、この選択手段により予め選択されている量の記憶領域を初期化処理することを特徴とする請求項１、２又は３記載の撮像装置。
【請求項９】
前記初期化処理手段は、予め設定されている所定個数の記憶領域を初期化処理することを特徴とする請求項１、２又は３記載の撮像装置。
【請求項１０】
前記データ記憶手段の各記憶領域に記憶されているデータの平均容量を求めて、この求めた平均容量に基づき初期化処理すべき容量を算出する算出手段をさらに有し、前記初期化処理手段は、前記算出手段により算出された容量の記憶領域を初期化処理すること特徴とする請求項１、２又は３記載の撮像装置。
【請求項１１】
前記データは、予め選択的に設定されるモードに応じて取り込まれる各々容量の異なる複数種のデータの何れかであり、前記データ記憶手段に記憶されているデータの種別毎の個数を検出して、この検出したデータの種別毎の個数とその容量とに基づき初期化処理すべき容量を算出する算出手段をさらに有し、前記初期化処理手段は、前記算出手段により算出された容量の記憶領域を初期化処理すること特徴とする請求項１、２又は３記載の撮像装置。
【請求項１２】
前記算出手段は、前記データ記憶手段に記憶されている個数が最も多いデータの該データの容量とその個数とに基づき、前記初期化処理すべき容量を算出することを特徴とする請求項１３記載の撮像装置。
【請求項１３】
前記データは、予め選択的に設定されるモードに応じて取り込まれる各々容量の異なる複数種のデータの何れかであり、電源オフ時に設定されている前記モードを記憶するメモリと、このメモリに記憶されているモードに対応するデータの容量に基づき、初期化処理すべき容量を算出する算出手段とをさらに有し、前記初期化処理手段は、前記算出手段により算出された容量の記憶領域を電源オン時に初期化処理すること特徴とする請求項１、２又は３記載の撮像装置。
【請求項１４】
電源オンから電源オフまでの間に、前記データ記憶手段に前記データを記憶させた記憶回数をカウントし、このカウントした記憶回数に基づき初期化処理すべき容量を算出する算出手段をさらに有し、前記初期化処理手段は、前記算出手段により算出された容量の記憶領域を初期化処理すること特徴とする請求項１、２又は３記載の撮像装置。
【請求項１５】
前記算出手段は、前記カウントした回数に基づき１回の電源オンから電源オフまでの間における平均記憶回数を求め、この平均記憶回数に基づき初期化処理すべき容量を算出することを特徴とする請求項１４記載の撮像装置。
【請求項１６】
前記データ記憶手段の各領域に間欠的に記憶されているデータを、順次連続する領域に移動して記憶させる記憶処理手段をさらに有することを特徴とする請求項１から１５に何れか記載の撮像装置。
【請求項１７】
前記記憶制御手段は、前記各領域に間欠的に記憶されているデータを、前記順次連続する初期化されている領域に複写し、前記初期化処理手段は、複写元の領域を初期化処理することを特徴とする請求項１６記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００５
【補正方法】変更
【補正の内容】
【０００５】
前記課題を解決するために本発明の撮像装置にあっては、被写体像の画像データを生成する生成手段と、複数個の記憶領域を有し各領域毎に画像データを記憶可能なデータ記憶手段と、前記各記憶領域に記憶されている画像データの削除指示に応答して、当該領域に所定の属性を付与する属性付与手段と、前記記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記属性が付与されている記憶領域を初期化処理する初期化処理手段と、取り込み操作に応答して前記生成手段により生成された画像データを、前記初期化処理手段により初期化処理された記憶領域に書き込む書込手段とを備えている。
【手続補正４】
【補正対象書類名】明細書
【補正対象項目名】０００６
【補正方法】変更
【補正の内容】
【０００６】
かかる構成において、ある記憶領域に記憶されている画像データの削除を行うべく削除指示を発生させると、属性付与手段は記憶されている画像データはそのままにして、当該記憶領域に所定の属性を付与する動作を行う。すると、初期化処理手段は、記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点において、この属性が付与されている記憶領域を初期化処理する。また、撮像に際して取り込み操作を行うと、書込手段が生成手段により生成された被写体画像の画像データを、初期化処理された記憶領域に書き込み、これにより被写体画像の記録がなされる。このとき、記憶領域への画像データの書き込み時に該記憶領域の初期化がなされることがないことから、画像データの書き込み終了までに要する時間は一定となる。
【手続補正５】
【補正対象書類名】明細書
【補正対象項目名】０００７
【補正方法】変更
【補正の内容】
【０００７】
また、本発明の他の構成にかかる撮像装置にあっては、被写体像の画像データを生成する生成手段と、複数個の記憶領域を有し各領域毎に画像データを記憶可能なデータ記憶手段と、前記各記憶領域が、“初期化済み”“消去待ち”“記憶済み”の何れの属性であるかを示す属性データを記憶する属性記憶手段と、前記各記憶領域に記憶されている画像データの削除指示に応答して、前記属性記憶手段に記憶されている対応する領域の属性データを、“記憶済み”から“消去待ち”に変更する属性データ変更手段と、前記記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記属性記憶手段に記憶されている属性データが“消去待ち”である記憶領域を初期化処理する初期化処理手段と、取り込み操作に応答して前記生成手段により生成された画像データを、前記初期化処理手段により初期化処理された記憶領域に書き込む書込手段とを備えている。
【手続補正６】
【補正対象書類名】明細書
【補正対象項目名】０００８
【補正方法】変更
【補正の内容】
【０００８】
かかる構成において、属性記憶手段は、各記憶領域に対応してその属性を示す“初期化済み”“消去待ち”“記憶済み”の属性データを記憶している。そして、ある記憶領域に記憶されている画像データの削除を行うべく削除指示を発生させると、属性データ変更手段は記憶されている画像データはそのままにして、属性記憶手段に記憶されている対応する領域の属性データを、“記憶済み”から“消去待ち”に変更する。すると、初期化処理手段は、記憶領域へのデータの書き込み時以外の電源オン操作時、電源オフ操作時、記憶モードから再生モードへの切り替え操作時、再生モードから記憶モードへの切り替え操作時、一定時間キー入力がない時の何れかの時点おいて、属性データが“消去待ち”である記憶領域を初期化処理する。また、撮像に際して取り込み操作を行うと、書込手段が生成手段により生成された被写体画像の画像データを、初期化処理された記憶領域に書き込み、これにより被写体画像の記録がなされる。このとき、記憶領域への画像データの書き込み時に該記憶領域の初期化がなされることがないことから、画像データの書き込み終了までに要する時間は一定となる。
【手続補正７】
【補正対象書類名】明細書
【補正対象項目名】０００９
【補正方法】変更
【補正の内容】
【０００９】
さらに本発明の他の構成にかかる撮像装置にあっては、被写体像の画像データを生成する生成手段と、複数個の記憶領域を有し各領域毎に画像データを記憶可能なデータ記憶手段と、前記各記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記各記憶領域に記憶された画像データのうち不要とされた画像データを記憶している前記記憶領域を初期化処理する初期化処理手段と、前記各記憶領域への画像データの書き込み時点で、初期化された前記記憶領域がない場合に前記各記憶領域のうち不要とされた画像データを記憶している前記領域を初期化処理する第２の初期化処理手段と、取り込み操作に応答して前記生成手段により生成された画像データを、前記いずれかの初期化処理手段により初期化処理された記憶領域に書き込む書込手段とを備えている。
【手続補正８】
【補正対象書類名】明細書
【補正対象項目名】００１０
【補正方法】変更
【補正の内容】
【００１０】
かかる構成において、基本的には、初期化処理手段が各記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、初期化を行うことから、取り込み操作に伴って記憶領域へ画像データを書き込む書き込み時に、該記憶領域の初期化がなされることはなく、画像データの書き込み終了までに要する時間は常に一定となる。しかし万が一、画像データの書き込み時に初期化された記憶領域がない場合には、第２の初期化処理手段は、前記各記憶領域のうち不要とされた画像データを記憶している前記領域を初期化処理する。したがって、基本的には、画像データの書き込み終了までに要する時間は常に一定にすることができ、万が一初期化された領域がなかった場合でも、画像データの書き込みを行うことが可能となる。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
以上説明したように本発明の撮像装置は、被写体像の画像データを生成する生成手段と、複数個の記憶領域を有し各領域毎に画像データを記憶可能なデータ記憶手段と、前記各記憶領域に記憶されている画像データの削除指示に応答して、当該領域に所定の属性を付与する属性付与手段と、前記記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記属性が付与されている記憶領域を初期化処理する初期化処理手段と、取り込み操作に応答して前記生成手段により生成された画像データを、前記初期化処理手段により初期化処理された記憶領域に書き込む書込手段とを備えている。
【手続補正２０】
【補正対象書類名】明細書
【補正対象項目名】００２２
【補正方法】変更
【補正の内容】
【００２２】
かかる構成において、ある記憶領域に記憶されている画像データの削除を行うべく削除指示を発生させると、属性付与手段は記憶されている画像データはそのままにして、当該記憶領域に所定の属性を付与する動作を行う。すると、初期化処理手段は、記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点において、この属性が付与されている記憶領域を初期化処理する。また、撮像に際して取り込み操作を行うと、書込手段が生成手段により生成された被写体画像の画像データを、初期化処理された記憶領域に書き込み、これにより被写体画像の記録がなされる。このとき、記憶領域への画像データの書き込み時に該記憶領域の初期化がなされることがないことから、画像データの書き込み終了までに要する時間が一定となる。
【手続補正２１】
【補正対象書類名】明細書
【補正対象項目名】００２３
【補正方法】変更
【補正の内容】
【００２３】
また、本発明の撮像装置は、被写体像の画像データを生成する生成手段と、複数個の記憶領域を有し各領域毎に画像データを記憶可能なデータ記憶手段と、前記各記憶領域が、“初期化済み”“消去待ち”“記憶済み”の何れの属性であるかを示す属性データを記憶する属性記憶手段と、前記各記憶領域に記憶されている画像データの削除指示に応答して、前記属性記憶手段に記憶されている対応する領域の属性データを、“記憶済み”から“消去待ち”に変更する属性データ変更手段と、前記記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記属性記憶手段に記憶されている属性データが“消去待ち”である記憶領域を初期化処理する初期化処理手段と、取り込み操作に応答して前記生成手段により生成された画像データを、前記初期化処理手段により初期化処理された記憶領域に書き込む書込手段とを備えている。
【手続補正２２】
【補正対象書類名】明細書
【補正対象項目名】００２４
【補正方法】変更
【補正の内容】
【００２４】
かかる構成において、属性記憶手段は、各記憶領域に対応してその属性を示す“初期化済み”“消去待ち”“記憶済み”の属性データを記憶している。そして、ある記憶領域に記憶されている画像データの削除を行うべく削除指示を発生させると、属性データ変更手段は記憶されている画像データはそのままにして、属性記憶手段に記憶されている対応する領域の属性データを、“記憶済み”から“消去待ち”に変更する。すると、初期化処理手段は、記憶領域へのデータの書き込み時以外の電源オン操作時、電源オフ操作時、記憶モードから再生モードへの切り替え操作時、再生モードから記憶モードへの切り替え操作時、一定時間キー入力がない時の何れかの時点おいて、属性データが“消去待ち”である記憶領域を初期化処理する。また、撮像に際して取り込み操作を行うと、書込手段が生成手段により生成された被写体画像の画像データを、初期化処理された記憶領域に書き込み、これにより被写体画像の記録がなされる。このとき、記憶領域への画像データの書き込み時に該記憶領域の初期化がなされることがないことから、画像データの書き込み終了までに要する時間が一定となる。
【手続補正２３】
【補正対象書類名】明細書
【補正対象項目名】００２５
【補正方法】変更
【補正の内容】
【００２５】
本発明の撮像装置は、被写体像の画像データを生成する生成手段と、複数個の記憶領域を有し各領域毎に画像データを記憶可能なデータ記憶手段と、前記各記憶領域への画像データの書き込み時以外の電源オン操作時、電源オフ操作時、記憶モードから再生モードへの切り替え操作時、再生モードから記憶モードへの切り替え操作時、一定時間キー入力がない時の何れかの時点で、前記各記憶領域に記憶された画像データのうち不要とされた画像データを記憶している前記記憶領域を初期化処理する初期化処理手段と、前記各記憶領域への画像データの書き込み時点で、初期化された前記記憶領域がない場合に前記各記憶領域のうち不要とされた画像データを記憶している前記領域を初期化処理する第２の初期化処理手段と、取り込み操作に応答して前記生成手段により生成された画像データを、前記いずれかの初期化処理手段により初期化処理された記憶領域に書き込む書込手段とを備えている。
【手続補正２４】
【補正対象書類名】明細書
【補正対象項目名】００２６
【補正方法】変更
【補正の内容】
【００２６】
かかる構成において、基本的には、初期化処理手段が各記憶領域へのデータの書き込み時以外の電源オン操作時、電源オフ操作時、記憶モードから再生モードへの切り替え操作時、再生モードから記憶モードへの切り替え操作時、一定時間キー入力がない時の何れかの時点で、初期化を行うことから、取り込み操作に伴って記憶領域へ画像データを書き込む書き込み時に、該記憶領域の初期化がなされることはなく、画像データの書き込み終了までに要する時間は常に一定となる。しかし万が一、画像データの書き込み時に初期化された記憶領域がない場合には、第２の初期化処理手段は、前記各記憶領域のうち不要とされたデータを記憶している前記領域を初期化処理する。したがって、基本的には、画像データの書き込み終了までに要する時間を一定にすることができ、万が一初期化された領域がなかった場合でも、画像データの書き込みを行うことが可能となる。
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】